(57)【要約】【課題】離れた場所にあるイーサネット機器の状態を認識できるイーサネットシステムを得る。【解決手段】イーサネット機器２、４、イーサネット給電アダプタ装置３がイーサネットケーブル１を通じて接続され、イーサネット機器２は、機器４と信号線１１〜１４を通じてデータの送受信を行うイーサネットデータ送受信部２１と、信号線１１〜１４に重畳された電源を分離する電源分離部２２と、機器２の状態を表わす状態表示制御信号を空きの信号線１５〜１８を通じて出力する状態表示制御デジタル出力部２３とを設け、給電アダプタ装置３は、電源装置５で生成された電源を信号線１１〜１４に重畳する電源重畳部３２と、信号線１５〜１８を通じて前記状態表示制御信号を入力する状態表示制御デジタル入力部３３と、前記状態表示制御信号に基き機器２の状態を表示する状態表示部３４とを設けた。【選択図】図１
2005244830.tif 000002
【特許請求の範囲】
【請求項１】
互いに離れた場所に設置された第１及び第２のイーサネット機器、並びにイーサネット給電アダプタ装置が複数の信号線から構成されたイーサネットケーブルを通じて接続されているイーサネットシステムであって、
前記第１のイーサネット機器は、
前記第２のイーサネット機器と前記イーサネットケーブルの第１の信号線を通じてイーサネットデータの送受信を行うイーサネットデータ送受信部と、
前記第１の信号線に重畳された電源を分離する電源分離部と、
前記第１のイーサネット機器の状態を表わす状態表示制御信号を前記イーサネットケーブルの空いている第２の信号線を通じて出力する状態表示制御デジタル出力部とを備えるとともに、
前記イーサネット給電アダプタ装置は、
電源装置で生成された電源を前記第１の信号線に重畳する電源重畳部と、
前記第２の信号線を通じて前記状態表示制御信号を入力する状態表示制御デジタル入力部と、
前記状態表示制御信号に基づいて前記第１のイーサネット機器の状態を表示する状態表示部とを備えた
ことを特徴とするイーサネットシステム。
【請求項２】
互いに離れた場所に設置された第１及び第２のイーサネット機器、並びにイーサネット給電アダプタ装置が複数の信号線から構成されたイーサネットケーブルを通じて接続されているイーサネットシステムであって、
前記第１のイーサネット機器は、
前記第２のイーサネット機器と前記イーサネットケーブルの第１の信号線を通じてイーサネットデータの送受信を行うイーサネットデータ送受信部と、
前記第１の信号線に重畳された電源を分離する電源分離部と、
前記第１のイーサネット機器の状態を表わす状態表示制御信号を前記イーサネットケーブルの空いている第２の信号線を通じてシリアル送信する状態表示制御シリアル送信部とを備えるとともに、
前記イーサネット給電アダプタ装置は、
電源装置で生成された電源を前記第１の信号線に重畳する電源重畳部と、
前記第２の信号線を通じて前記状態表示制御信号を受信する状態表示制御シリアル受信部と、
前記状態表示制御信号に基づいて前記第１のイーサネット機器の状態を表示する状態表示部とを備えた
ことを特徴とするイーサネットシステム。
【請求項３】
互いに離れた場所に設置された第１及び第２のイーサネット機器、並びにイーサネット給電アダプタ装置が複数の信号線から構成されたイーサネットケーブルを通じて接続されているイーサネットシステムであって、
前記第１のイーサネット機器は、
前記第２のイーサネット機器と前記イーサネットケーブルの所定の信号線を通じてイーサネットデータの送受信を行うとともに、前記第１のイーサネット機器の状態を表わすイーサネットフレームを前記所定の信号線を通じて送信するイーサネットデータ送受信部と、
前記所定の信号線に重畳された電源を分離する電源分離部とを備えるとともに、
前記イーサネット給電アダプタ装置は、
電源装置で生成された電源を前記所定の信号線に重畳する電源重畳部と、
前記所定の信号線を通じて前記イーサネットフレームを受信するイーサネットデータ受信部と、
前記イーサネットフレームに基づいて前記第１のイーサネット機器の状態を表示する状態表示部とを備えた
ことを特徴とするイーサネットシステム。
【請求項４】
互いに離れた場所に設置された第１及び第２のイーサネット機器、並びにイーサネット給電アダプタ装置が複数の信号線から構成されたイーサネットケーブルを通じて接続されているイーサネットシステムであって、
前記第１のイーサネット機器は、
前記第２のイーサネット機器と前記イーサネットケーブルの第１の信号線を通じてイーサネットデータの送受信を行うイーサネットデータ送受信部と、
前記第１のイーサネット機器の状態を表わす状態表示制御信号を前記イーサネットケーブルの空いている第２の信号線を通じて送信する状態表示制御送信部とを備えるとともに、
前記イーサネット給電アダプタ装置は、
前記第２の信号線を通じて前記状態表示制御信号を受信する状態表示制御受信部と、
前記状態表示制御信号に基づいて前記第１のイーサネット機器の状態を表示する状態表示部とを備え、電源装置で生成された電源を前記イーサネットケーブルの空いている第３の信号線を通じて前記第１のイーサネット機器に供給する
ことを特徴とするイーサネットシステム。
【請求項５】
互いに離れた場所に設置された第１及び第２のイーサネット機器、並びにイーサネット給電アダプタ装置が複数の信号線から構成されたイーサネットケーブルを通じて接続されているイーサネットシステムであって、
前記第１のイーサネット機器は、
前記第２のイーサネット機器と前記イーサネットケーブルの第１の信号線を通じてイーサネットデータの送受信を行うとともに、前記第１のイーサネット機器の状態を表わすイーサネットフレームを前記第１の信号線を通じて送信するイーサネットデータ送受信部を備えるとともに、
前記イーサネット給電アダプタ装置は、
前記第１の信号線を通じて前記イーサネットフレームを受信するイーサネットデータ受信部と、
前記イーサネットフレームに基づいて前記第１のイーサネット機器の状態を表示する状態表示部とを備え、電源装置で生成された電源を前記イーサネットケーブルの空いている第２の信号線を通じて前記第１のイーサネット機器に供給する
ことを特徴とするイーサネットシステム。
【請求項６】
前記第１のイーサネット機器の状態表示制御デジタル出力部は、前記第１のイーサネット機器の状態を表わすオン・オフの周期を変化させた状態表示制御信号を前記イーサネットケーブルの空いている第２の信号線を通じて出力し、
前記イーサネット給電アダプタ装置の状態表示部は、前記状態表示制御信号に基づいて前記第１のイーサネット機器の状態を点滅表示する
ことを特徴とする請求項１記載のイーサネットシステム。
【請求項７】
前記イーサネット給電アダプタ装置の状態表示部は、前記状態表示制御信号又は前記イーサネットフレームに基づいて前記第１のイーサネット機器の状態を複数の文字情報で表示する
ことを特徴とする請求項２から請求項５までのいずれかに記載のイーサネットシステム。
【請求項８】
互いに離れた場所に設置された第１及び第２のイーサネット機器、並びにＰＬＣモデムから構成され、前記第１のイーサネット機器及び前記ＰＬＣモデムが電源線を通じて接続され、前記ＰＬＣモデム及び前記第２のイーサネット機器がイーサネットケーブルを通じて接続されているイーサネットシステムであって、
前記第１のイーサネット機器は、前記第２のイーサネット機器と前記電源線及び前記イーサネットケーブルを通じてイーサネットデータの送受信を行うとともに、前記第１のイーサネット機器の状態を表わすイーサネットフレームを前記電源線を通じて送信するＰＬＣモデム部を備えるとともに、
前記ＰＬＣモデムは、前記電源線を通じて受信した前記イーサネットフレームに基づいて前記第１のイーサネット機器の状態を表示する状態表示部を備えた
ことを特徴とするイーサネットシステム。
【発明の詳細な説明】
【技術分野】
【０００１】
この発明は、主にイーサネット（登録商標）ケーブルを介してイーサネット機器に電源を供給するイーサネット給電アダプタ装置が設けられたイーサネットシステムに関するものである。
【背景技術】
【０００２】
近年、イーサネット環境においても遠隔地から電力を供給する遠隔給電を実現するシステムも見受けられるが、その実現方法は給電のための特別の装置をイーサネット装置間に追加し、特殊なケーブルで接続し給電する方法や、イーサネットケーブルを使用するシステムであっても、データ伝送で使用していない残りの２ペアのケーブルを使用して実現しているものであった。かかる方法においては、データ伝送に使用されるイーサネットケーブルの２ペア線を用い、既存システムにおいても特別な工事を行うことなく、イーサネットで経済的に遠隔給電を実現できる給電機能付きおよび受電機能付きインタフェース装置ならびに通信システムを提供することを目的としていた（例えば、特許文献１参照）。
【０００３】
【特許文献１】特開２０００−１３４２２８号公報
【発明の開示】
【発明が解決しようとする課題】
【０００４】
前述したような従来の方法においては、イーサネットケーブルで接続される遠隔場所にある装置に電力を供給することはできるが、遠隔場所にある装置の状態を把握することが困難であった。
【０００５】
例えば、ベランダや屋上などの離れた場所に設置した無線アクセスポイントなどのイーサネット機器において、かかる給電装置を屋内に設置し、イーサネットケーブルで給電することによりイーサネット機器に電力を供給することが可能となる。しかし、給電装置と離れた場所にあるイーサネット機器の動作状態が屋内に設置された給電装置側では判断できないため、イーサネット機器として正常に通信が行われない場合のトラブルシューティングのために、ベランダや屋上などに設置したイーサネット機器のＬＥＤ表示を確認するなどして動作状態を確認する必要があった。
【０００６】
この発明は、上述のような課題を解決するためになされたもので、その目的は、離れた場所にあるイーサネット機器の状態を認識することが可能となるイーサネットシステムを得るものである。
【課題を解決するための手段】
【０００７】
この発明に係るイーサネットシステムは、互いに離れた場所に設置された第１及び第２のイーサネット機器、並びにイーサネット給電アダプタ装置が複数の信号線から構成されたイーサネットケーブルを通じて接続されているイーサネットシステムであって、前記第１のイーサネット機器は、前記第２のイーサネット機器と前記イーサネットケーブルの第１の信号線を通じてイーサネットデータの送受信を行うイーサネットデータ送受信部と、前記第１の信号線に重畳された電源を分離する電源分離部と、前記第１のイーサネット機器の状態を表わす状態表示制御信号を前記イーサネットケーブルの空いている第２の信号線を通じて出力する状態表示制御デジタル出力部とを設けるとともに、前記イーサネット給電アダプタ装置は、電源装置で生成された電源を前記第１の信号線に重畳する電源重畳部と、前記第２の信号線を通じて前記状態表示制御信号を入力する状態表示制御デジタル入力部と、前記状態表示制御信号に基づいて前記第１のイーサネット機器の状態を表示する状態表示部とを設けたものである。
【発明の効果】
【０００８】
この発明に係るイーサネットシステムは、離れた場所にあるイーサネット機器の状態を認識することが可能となるという効果を奏する。
【発明を実施するための最良の形態】
【０００９】
実施の形態１．
この発明の実施の形態１に係るイーサネットシステムについて図１及び図２を参照しながら説明する。図１は、この発明の実施の形態１に係るイーサネットシステムの構成を示す図である。また、図２は、この発明の実施の形態１に係るイーサネットシステムのイーサネット給電アダプタ装置３の外観を示す図である。なお、各図中、同一符号は同一又は相当部分を示す。また、図１及び図２は、この発明の実施の形態１の説明のために主要な部分のみを示している。
【００１０】
図１において、イーサネットシステムには、イーサネットケーブル１と、ベランダや屋上などの屋外に設置された無線ユニット等のイーサネット機器２と、屋内に設置されたイーサネット給電アダプタ装置３と、屋内に設置されたＰＣ等のイーサネット機器４と、屋内に設置された電源装置５とが設けられている。
【００１１】
イーサネットケーブル１は、８本の信号線１１〜１８から構成され、イーサネット機器２と、イーサネット給電アダプタ装置３と、イーサネット機器４を接続する。電源装置５は、イーサネット給電アダプタ装置３経由でイーサネット機器２に供給する電源を生成する。
【００１２】
イーサネット機器２は、イーサネット機器４とイーサネットデータの送受信を行うイーサネットデータ送受信部２１と、イーサネット給電アダプタ装置３で重畳された電源を分離する電源分離部２２と、イーサネット機器２の状態を通知するための状態表示制御デジタル出力部２３とから構成されている。また、イーサネット給電アダプタ装置３は、電源装置５で生成された電源をイーサネットケーブル１に重畳する電源重畳部３２と、状態表示制御デジタル出力部２３から出力されたデータを入力する状態表示制御デジタル入力部３３と、実際に状態表示（点灯又は消灯）を行う状態表示部３４とから構成されている。さらに、イーサネット機器４は、イーサネットデータ送受信部４１を有する。
【００１３】
図２において、状態表示部３４は、ＬＥＤなどの表示器であり、図では点灯している状態を表わしている。
【００１４】
つぎに、この実施の形態１に係るイーサネットシステムの動作について図面を参照しながら説明する。
【００１５】
イーサネット機器２は、イーサネットケーブル１の４本の信号線１１〜１４を使用し、イーサネット給電アダプタ装置３を介してイーサネット機器４とイーサネットデータの送受信を行う。このイーサネット機器２の電源は、電源装置５で生成された電源をイーサネット給電アダプタ装置３内の電源重畳部３２でイーサネットデータ送受信信号に重畳し、イーサネットケーブル１経由でイーサネット機器２に供給され、イーサネット機器２内の電源分離部２２においてイーサネットデータ信号と電源を分離する。
【００１６】
イーサネット機器２の状態を表わす状態表示制御信号（オン又はオフ）は、状態表示制御デジタル出力部２３からイーサネットケーブル１の４本の空き信号線１５〜１８のうち、少なくとも２本（１組）を使用し、イーサネット給電アダプタ装置３に対して出力される。イーサネット給電アダプタ装置３の状態表示制御デジタル入力部３３に入力された状態表示制御信号は、状態表示部３４により、イーサネット機器２の状態をイーサネット給電アダプタ装置３に表示する。
【００１７】
イーサネット給電アダプタ装置３に、離れた場所に設置したイーサネット機器２の動作状態を表示する機能を付加することによって、イーサネット給電アダプタ装置３が設置された場所に居ながら離れた場所にあるイーサネット機器２の動作状態を把握し、トラブルシューティングの負荷を軽減することができる。
【００１８】
このように、この実施の形態１では、イーサネットケーブル１を使用したイーサネット給電アダプタ装置３において、イーサネットケーブル１の４本の空き信号線１５〜１８を使用したデジタル出力により状態を通知することで、１本の共通線として例えば、信号線１５を使用するとして残りの信号線１６〜１８で、状態表示制御デジタル出力部２３は、最大３点の点灯／消灯制御が可能となる。従って、イーサネット機器４を使用するユーザが、イーサネットケーブル１で接続された離れた場所にある別のイーサネット機器２の状態を、イーサネット給電アダプタ装置３に備えた表示器３４の点灯／消灯状態を見ることにより容易に確認することが可能となる。
【００１９】
実施の形態２．
この発明の実施の形態２に係るイーサネットシステムについて図３を参照しながら説明する。図３は、この発明の実施の形態２に係るイーサネットシステムの構成を示す図である。
【００２０】
図３において、この実施の形態２では、イーサネット機器２の状態をイーサネット給電アダプタ装置３に通知する手段として、イーサネット機器２に状態表示制御シリアル送信部２４を設け、また、イーサネット給電アダプタ装置３に状態表示制御シリアル受信部３５を設けたものである。
【００２１】
つぎに、この実施の形態２に係るイーサネットシステムの動作について図面を参照しながら説明する。
【００２２】
イーサネットデータの送受信、電源の重畳・分離の動作については、上記実施の形態１と同様である。
【００２３】
イーサネット機器２の状態は、状態表示制御シリアル送信部２４からイーサネットケーブル１の２本の空き信号線１５、１６を使用し、イーサネット給電アダプタ装置３に対して出力される。イーサネット給電アダプタ装置３の状態表示制御シリアル受信部３５に入力された状態表示制御信号は、状態表示部３４により、イーサネット機器２の状態をイーサネット給電アダプタ装置３に表示する。なお、イーサネットケーブル１の残り２本の信号線１７、１８は空きのままである。
【００２４】
このように、この実施の形態２では、イーサネットケーブル１を使用したイーサネット給電アダプタ装置３において、イーサネット機器２の状態をイーサネットケーブル１の２本の空き信号線１５、１６を使用してシリアル伝送することにより、各種の情報を伝送することができ、上記実施の形態１の場合よりもさらに多くの状態を表示可能となる。
【００２５】
実施の形態３．
この発明の実施の形態３に係るイーサネットシステムについて図４を参照しながら説明する。図４は、この発明の実施の形態３に係るイーサネットシステムの構成を示す図である。
【００２６】
図４において、この実施の形態３では、イーサネット機器２の状態をイーサネット給電アダプタ装置３に通知する手段として、イーサネットデータ送受信部２１を使用し、また、イーサネット給電アダプタ装置３にイーサネットデータ送受信部（イーサネットデータ受信部）３６を設けるものである。
【００２７】
つぎに、この実施の形態３に係るイーサネットシステムの動作について図面を参照しながら説明する。
【００２８】
イーサネットデータの送受信、電源の重畳・分離の動作については、上記実施の形態１と同様である。
【００２９】
イーサネット機器２の状態は、イーサネットフレームとしてイーサネット機器２内のイーサネットデータ送受信部２１からイーサネットケーブル１を介してイーサネット給電アダプタ装置３内のイーサネットデータ送受信部３６に通知される。イーサネット給電アダプタ装置３で状態通知用のイーサネットフレームと認識した場合、そのフレーム内のデータに従って状態表示部３４により状態表示を行う。なお、イーサネットケーブル１の４本の信号線１５〜１８は空きのままである。
【００３０】
このように、この実施の形態３では、イーサネットケーブル１を使用したイーサネット給電アダプタ装置３において、イーサネット機器２の状態を状態通知用のイーサネットフレームを使用して伝送することにより、各種の情報を伝送することができる。従って、イーサネット機器２内に特別な回路を設けることなく、イーサネット機器２の状態をイーサネット給電アダプタ装置３に表示することが可能となる。
【００３１】
実施の形態４．
この発明の実施の形態４に係るイーサネットシステムについて図５を参照しながら説明する。図５は、この発明の実施の形態４に係るイーサネットシステムの構成を示す図である。
【００３２】
図５において、この実施の形態４では、イーサネット機器２への電源供給方法については、イーサネットケーブル１の２本の空き信号線１７、１８を利用する。イーサネット給電アダプタ装置３は、電源装置５で生成された電源をイーサネットケーブル１の空いている信号線１７、１８を通じてイーサネット機器２に供給する。
【００３３】
イーサネットデータの送受信、イーサネット機器２の状態通知の動作については、上記実施の形態２と同様である。
【００３４】
このように、この実施の形態４では、イーサネット機器２への電源供給方法において、イーサネットデータ送受信用の信号線１１〜１４に重畳するのではなく２本の空き信号線１７、１８を使用することによって、イーサネット給電アダプタ装置３内の電源重畳部３２、イーサネット機器２内の電源分離部２２が必要なくなる。また、イーサネット機器２の状態通知には２本の空き信号線１５、１６を利用してシリアル伝送を行うため、イーサネット給電アダプタ装置３に状態表示することが可能となる。なお、上記実施の形態１のように、イーサネット機器２の状態通知に２本の空き信号線１５、１６を利用したデジタル伝送でもよい。
【００３５】
図６は、この発明の実施の形態４に係るイーサネットシステムの別の構成を示す図である。
【００３６】
図６において、この実施の形態４の別の構成例では、イーサネット機器２への電源供給方法については、イーサネットケーブル１の２本の空き信号線１７、１８を利用する。イーサネット給電アダプタ装置３は、電源装置５で生成された電源をイーサネットケーブル１の空いている信号線１７、１８を通じてイーサネット機器２に供給する。
【００３７】
イーサネットデータの送受信、イーサネット機器２の状態通知の動作については、上記実施の形態３と同様である。
【００３８】
このように、この実施の形態４の別の構成例では、イーサネット機器２への電源供給方法において、イーサネットデータ送受信用の信号線１１〜１４に重畳するのではなく２本の空き信号線１７、１８を使用することによって、イーサネット給電アダプタ装置３内の電源重畳部３２、イーサネット機器２内の電源分離部２２が必要なくなる。また、イーサネット機器２の状態を状態通知用のイーサネットフレームを使用して伝送することにより、各種の情報を伝送することができる。従って、イーサネット機器２内に特別な回路を設けることなく、イーサネット機器２の状態をイーサネット給電アダプタ装置３に表示することが可能となる。なお、イーサネットケーブル１の２本の信号線１５、１６は空きのままである。
【００３９】
実施の形態５．
この発明の実施の形態５に係るイーサネットシステムについて図７を参照しながら説明する。図７は、表示器の表示とイーサネット機器の状態の関係を表す。なお、この発明の実施の形態５に係るイーサネットシステムの構成は、上記実施の形態１と同様である。
【００４０】
上記実施の形態１においては、イーサネット機器２の状態表示はデジタル出力により通知された情報をもとに、ＬＥＤなどの表示器３４の点灯／消灯制御を行うことにより実施していた。
【００４１】
この実施の形態５では、図７に示すように、状態表示制御デジタル出力部２３は、点灯、消灯の２つの状態に加えて、点滅周期をｎ通り変化させることによりｎ個の状態を表示させる。
【００４２】
このように、この実施の形態５では、デジタル出力のように通知できる情報（オン又はオフ）が少ない場合に、状態表示制御デジタル出力部２３は、状態表示制御信号のオン・オフ周期を変化させることによって、上記実施の形態１の場合よりも多くの状態を表示させることが可能となる。
【００４３】
実施の形態６．
この発明の実施の形態６に係るイーサネットシステムについて図８を参照しながら説明する。図８は、この発明の実施の形態６に係るイーサネットシステムのイーサネット給電アダプタ装置の外観を示す図である。なお、この発明の実施の形態６に係るイーサネットシステムの基本構成は、上記実施の形態２〜４のいずれかと同様である。
【００４４】
図８において、イーサネット給電アダプタ装置３に、表示器３４の代りに、状態表示用に液晶パネルなどの表示器３４Ａを備える。
【００４５】
上記実施の形態２、４又は３において、イーサネット機器２の状態通知は、空き信号線を利用したシリアル伝送、又はイーサネットフレームの送受信により行われており、デジタル出力による状態通知よりも多くの情報を伝送することが可能となっており、複数の文字情報が表示可能な液晶パネルなどの表示器３４Ａにイーサネット機器２の状態を視覚的にわかりやすく表示する。
【００４６】
このように、この実施の形態６では、イーサネット給電アダプタ装置３に液晶パネルなどの表示器３４Ａを備えることにより、ＬＥＤなどの表示器３４よりも視覚的にわかりやすくイーサネット機器２の状態を表示することが可能となる。
【００４７】
実施の形態７．
この発明の実施の形態７に係るイーサネットシステムについて図９を参照しながら説明する。図９は、この発明の実施の形態７に係るイーサネットシステムの構成を示す図である。図９におけるシステムは、本発明の説明のために主要な部分のみを示している。
【００４８】
図９において、本システムは、電源線を用いて通信が可能なＰＬＣ（Power Line Communication）モデム部２５を有する無線ユニット等のイーサネット機器２と、電源ケーブル７１、７２と、電源コンセント８１、８２と、電源線９と、状態表示部３４を有するＰＬＣ（Power Line Communication）モデム３Ａと、ＰＣ等のイーサネット機器４とから構成される。なお、ＰＬＣモデム３Ａとイーサネット機器４間は、イーサネットケーブルなどの信号線により接続されている。
【００４９】
ＰＬＣモデム部２５を内蔵するイーサネット機器２は、電源コンセント８１から電源ケーブル７１経由で電源を供給されるとともに、電源線９を介してデータ伝送を行う機能を有する。
【００５０】
電源線９を介して伝送されたデータは、電源コンセント８２と電源ケーブル７２を介してＰＬＣモデム３Ａに送られ、イーサネット機器４と通信を行う。ここで、イーサネット機器２の状態を通知するイーサネットフレームをＰＬＣモデム部２５から伝送することにより、ＰＬＣモデム３Ａは受け取ったイーサネットフレームからイーサネット機器２の状態を認識し、状態表示部３４を通じてイーサネット機器２の状態を表示することができる。
【００５１】
このように、この実施の形態７では、ＰＬＣモデム３Ａを介して電源線９経由で接続されたイーサネット機器２の状態を離れた場所にあるＰＬＣモデム３Ａの状態表示により確認することが可能となる。
【図面の簡単な説明】
【００５２】
【図１】この発明の実施の形態１に係るイーサネットシステムの構成を示す図である。
【図２】この発明の実施の形態１に係るイーサネットシステムのイーサネット給電アダプタ装置の外観を示す図である。
【図３】この発明の実施の形態２に係るイーサネットシステムの構成を示す図である。
【図４】この発明の実施の形態３に係るイーサネットシステムの構成を示す図である。
【図５】この発明の実施の形態４に係るイーサネットシステムの構成を示す図である。
【図６】この発明の実施の形態４に係るイーサネットシステムの別の構成を示す図である。
【図７】この発明の実施の形態５に係るイーサネットシステムの表示器の表示とイーサネット機器の状態の関係を表す図である。
【図８】この発明の実施の形態６に係るイーサネットシステムのイーサネット給電アダプタ装置の外観を示す図である。
【図９】この発明の実施の形態７に係るイーサネットシステムの構成を示す図である。
【符号の説明】
【００５３】
１  イーサネットケーブル、２  イーサネット機器、３  イーサネット給電アダプタ装置、３Ａ  ＰＬＣモデム、４  イーサネット機器、５  電源装置、９  電源線、１１、１２、１３、１４、１５、１６、１７、１８  信号線、２１  イーサネットデータ送受信部、２２  電源分離部、２３  状態表示制御デジタル出力部、２４  状態表示制御シリアル送信部、２５  ＰＬＣモデム部、３２  電源重畳部、３３  状態表示制御デジタル入力部、３４、３４Ａ  状態表示部、３５  状態表示制御シリアル受信部、３６  イーサネットデータ送受信部、４１  イーサネットデータ送受信部、７１、７２  電源ケーブル、８１、８２  電源コンセント。
【図１】
2005244830.tif 000003
【図２】
2005244830.tif 000004
【図３】
2005244830.tif 000005
【図４】
2005244830.tif 000006
【図５】
2005244830.tif 000007
【図６】
2005244830.tif 000008
【図７】
2005244830.tif 000009
【図８】
2005244830.tif 000010
【図９】
2005244830.tif 000011